【事件の表示】
　特許第２７９６２７５号「携帯用電話機のカバー開閉機構」の請求項１ないし２に係る特許に対する特許異議の申立てについて、次のとおり決定する。
【結　論】
　訂正を認める。
　特許第２７９６２７５号の請求項１ないし５に係る特許を維持する。
【理　由】
１．手続きの経緯
　本件特許２７９６２７５号の発明は、平成８年９月１９日（パリ条約による優先権主張１９９５年９月１９日、韓国）に特許出願され、平成１０年６月２６日にその特許の設定登録がなされ、その後、異議申立人福岡大司より特許異議申立てがなされ、取消理由通知がなされ、その指定期間内である平成１１年１２月２０日に訂正請求がなされたものである。
２．訂正の適否について
　１）訂正の内容
　特許権者が求めている訂正の内容は以下のとおりである。
訂正事項ａ
　特許請求の範囲の請求項１を
「【請求項１】携帯用電話機のカバー開閉機構であって、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを、支持壁と固定壁により形成された電話機本体の収納空間に、前記ヒンジカバー端面に形成された固定突起が前記固定壁に設けた挿入孔へ挿入されることで前記フリップモジュールが前記収納空間に固定されるようにして装着し、そして、フリップカバーの嵌合口に前記ヒンジ軸の軸他端部を嵌合させることにより、前記フリップモジュールの作動によってカバー開閉が行われることを特徴とするカバー開閉機構。」と訂正する。
訂正事項ｂ
　特許請求の範囲の請求項２を
「【請求項２】携帯用電話機のカバー開閉機構であって、ヒンジハウジングと、一端に山形突部が形成された軸の他端部が前記ヒンジハウジングから突出するようにして前記ヒンジハウジングに挿入され、その他端部端面に分解凹部を形成してあるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを電話機本体の収納空間に装着してフリップカバーの嵌合口に前記ヒンジ軸の軸他端部を嵌合させることにより、該フリップモジュールの作動によってカバー開閉が行われることを特徴とするカバー開閉機構。」と訂正する。
訂正事項ｃ
　特許請求の範囲の請求項３を
「【請求項３】携帯用電話機のカバー開閉機構であって、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを２つ、フリップカバーの閉角度と開角度を与えるように角度をずらし電話機本体の収納空間に装着してフリップカバーの嵌合口に前記ヒンジ軸の軸他端部を嵌合させることにより、これらフリップモジュールの作動によってカバー開閉が行われることを特徴とするカバー開閉機構。」と訂正する。
訂正事項ｄ
　特許請求の範囲の請求項４を
「【請求項４】携帯用電話機のカバー開閉機構であって、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを電話機本体の収納空間に装着してフリップカバーの嵌合口に前記ヒンジ軸の軸他端部を嵌合させることにより、該フリップモジュールの作動によってカバー開閉が行われるようになっており、さらに、前記嵌合口を形成したフリップカバーのネック部に分解溝が形成されていることを特徴とするカバー開閉機構。」と訂正する。
訂正事項ｅ
　特許請求の範囲の請求項５を
「【請求項５】ヒンジハウジングに設けた案内溝へカムヒンジに設けたカムヒンジ突起が係合して前記カムヒンジ摺動する請求項１〜４のいずれか１項に記載のカバー開閉機構。」と訂正する。
訂正事項ｆ
　特許請求の範囲の請求項６を
「【請求項６】携帯用電話機のカバー開閉機構であって、圧縮コイルバネで弾性支持されて対向方向に摺動可能に突出するヒンジ軸を備えたフリップモジュールが電話機本体の下端部に設置され、前記ヒンジ軸に取り付けられて通話角度へ回動可能なフリップカバーの少なくとも一方のネックに、通話角度以上に開くときや取り外し時の衝撃を吸収するために拡開機能を遂行する分解溝が形成されていることを特徴とするカバー開閉機構。」と訂正する。
　２）訂正の目的の適否及び拡張・変更の存否
　訂正事項ａは、特許明細書の請求項１の「該フリップモジュールを電話機本体の収納空間に装着して」を「該フリップモジュールを、支持壁と固定壁により形成された電話機本体の収納空間に、前記ヒンジカバー端面に形成された固定突起が前記固定壁に設けた挿入孔へ挿入されることで前記フリップモジュールが前記収納空間に固定されるようにして装着し、そして、」に限定し、「請求項１」とするものであり、この訂正事項は特許明細書の請求項３に記載されているので、上記訂正は、特許請求の範囲の減縮に相当する。
　訂正事項ｂは、特許明細書の請求項１の「前記ヒンジハウジングに挿入されるヒンジ軸」を「前記ヒンジハウジングに挿入され、その他端部端面に分解凹部を形成してあるヒンジ軸」に限定して「請求項２」とするものであり、この訂正事項は特許明細書の請求項４に記載されているので、上記訂正は、特許請求の範囲の減縮に相当する。
　訂正事項ｃは、特許明細書の請求項１の「該フリップモジュールを電話機本体の収納空間に装着」を「該フリップモジュールを２つ、フリップカバーの閉角度と開角度を与えるように角度をずらし電話機本体の収納空間に装着」に限定して「請求項３」とするものであり、この訂正事項は特許明細書の請求項５に記載されているので、上記訂正は、特許請求の範囲の減縮に相当する。
　訂正事項ｄは、特許明細書の請求項１の「該フリップモジュールの作動によってカバー開閉が行われること」を「該フリップモジュールの作動によってカバー開閉が行われるようになっており、さらに、前記嵌合口を形成したフリップカバーのネック部に分解溝が形成されていること」に限定して「請求項４」とするものであり、この訂正事項は、特許明細書の請求項６に記載されているので、上記訂正は、特許請求の範囲の減縮に相当する。
　訂正事項ｅは、特許明細書の請求項２の「請求項１記載のカバー開閉機構」を「請求項１〜４のいずれか１項に記載のカバー開閉機構」に訂正するものであり、特許請求の範囲の減縮に相当する。
　訂正事項ｆは、特許明細書の請求項７を請求項６に訂正するもので、請求項数の削減に伴い単に請求項を繰り上げたものであり、実質的な訂正にあたらない。
　上記訂正事項ａ乃至ｆは、新規事項を追加するものでなく、実質上特許請求の範囲を拡張し、又は変更するものでもない。
　３）独立特許要件の判断
　Ａ当審が通知した取消理由の概要
　Ａ−１特許法第２９条の２第１項違反について
　特許明細書の請求項１及び２に係る発明は、その出願の日前の出願であって、その出願後に出願公開された特願平８−１４８０７０号（特開平８−３１７０２５号公報）の願書に最初に添付した明細書又は図面（以下「先願明細書」という）に記載された発明と同一であり、該請求項１及び２の発明の発明者は先願明細書に記載された発明の発明者と同一でも、本件出願の時において、その出願人が上記他の出願の出願人と同一でもない。
　Ａ−２特許法第２９条第２項違反について
　特許明細書の請求項１に係る発明は、刊行物１（特開平５−２６２２７号公報）に記載された発明に基づいて当業者が容易に発明をすることができたものである。
　Ｂ先願明細書及び刊行物の内容
　Ｂ−１先願明細書
　先願明細書には、折りたたみ可能な携帯用無線電話のヒンジ機構であって、缶状部と、タブが形成されヘッド部が前記缶状部から突出するようにして前記缶状部に挿入されるカムホロワと、前記タブとかみ合うプロフィールをもち前記缶状部に係止し、前記カムとの間に設けたばねにより前記カムを支持するキャップと、からヒンジを構成し、該ヒンジを無線電話本体の空洞に装着してカバーの空洞に前記カムホロワのヘッド部を嵌合させることにより、該ヒンジの作動によってヒンジ機構の開閉が行われることを特徴とするヒンジ機構が記載されている。
　Ｂ−２刊行物１
　刊行物１には、ノート型、ラップトップ型のパソコンやワープロなどの電子機器における画面表示部などに用いる可動体の開閉抑制装置に関し、図２及び図３を参照して、「本発明の開閉抑制装置１は、例えば図２に示すように、ラッブトップ型パソコン２１における画面表示部２の下方突出部２２に設置する。図３において、下方突出部２２には、開閉抑制装置１を収納する矩形中空部２３を形成し、一方、取付本体である機器本体２４の隣接側壁に受板２５を固着し、該受け板には、軸前方部３ａの断面形状と等しい異形孔２６を設ける。他方の回転軸２７は、予め公知の手段で枢着しておき、開閉抑制装置１は矩形中空部２３内に収納し、回転軸３の前方部３ａを受板２５の異形孔２６に嵌入してから取付金具２８でボルト止めする。Ｕ字形断面の取付け金具２８は、ケーシング４の側壁にボルト止めし、この際に該金具のＬ字形折曲部２９がケーシング４の開口上壁を覆っている。この結果、開閉抑制装置１は、画面表示部２の回転軸３、２７と同軸上に横方向に配置されることになる。ラップトップ型パソコン２１の画面表示部２を開閉すると、該画面表示部とともに開閉抑制装置１は回動し、さらにケーシング４及び従動部材８も回動する。この際に、回転軸３自体は、受板２５の異形孔２６に嵌入・固定されるから、ケーシング４内で円筒カム部材５は静止している。ケーシング４内の従動部材８は、常にコイルバネ９で前方へ付勢されているから、コイルバネ９の押圧力によって、画面表示部２の開閉作動を適当に制御することになる。」（第３頁右欄第３８〜第４頁左欄第１２行）と記載されている。そして、図７を参照して図１の開閉抑制装置１の変形例を示し、「開閉抑制装置３１は、直方体形のプラスチック製ケーシング３２を有し、該ケーシング内に円筒形の従動部材３３、角形カム部材３４、圧縮コイルバネ３５を収納する。円筒形の従動部材３３は、その直径がケーシング３２の内寸にほぼ等しく、該カム部材の中心孔に回転軸３６の後方部を嵌入して固着する。従動部材３３と対抗するカム部材３４は、ケーシング３２内で回転せずに前後移動するだけであるから角形でよく、その横幅はケーシング３２の内寸にほぼ等しい。角形カム部材３４の傾斜面３７は、図１に示す実施例と同様に、その前側面において円周方向に形成すればよい。カム傾斜面３７と接触する従動部材３３の突起部は、カム傾斜面上で回転摺動できるように先端を半円形断面にする。コイルバネ３５は、カム部材３４とケーシング後側壁との間に配置し、該カム部材を前方へ付勢する。」（第４頁左欄第４４〜右欄第１０行）と記載されている。　
　Ｃ訂正明細書の発明
　訂正明細書の請求項１乃至６に係る発明は、その特許請求の範囲請求項１乃至６に記載された次のとおりのものである。
「【請求項１】携帯用電話機のカバー開閉機構であって、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを、支持壁と固定壁により形成された電話機本体の収納空間に、前記ヒンジカバー端面に形成された固定突起が前記固定壁に設けた挿入孔へ挿入されることで前記フリップモジュールが前記収納空間に固定されるようにして装着し、そして、フリップカバーの嵌合口に前記ヒンジ軸の軸他端部を嵌合させることにより、前記フリップモジュールの作動によってカバー開閉が行われることを特徴とするカバー開閉機構。
【請求項２】携帯用電話機のカバー開閉機構であって、ヒンジハウジングと、一端に山形突部が形成された軸の他端部が前記ヒンジハウジングから突出するようにして前記ヒンジハウジングに挿入され、その他端部端面に分解凹部を形成してあるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを電話機本体の収納空間に装着してフリップカバーの嵌合口に前記ヒンジ軸の軸他端部を嵌合させることにより、該フリップモジュールの作動によってカバー開閉が行われることを特徴とするカバー開閉機構。
【請求項３】携帯用電話機のカバー開閉機構であって、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを２つ、フリップカバーの閉角度と開角度を与えるように角度をずらし電話機本体の収納空間に装着してフリップカバーの嵌合口に前記ヒンジ軸の軸他端部を嵌合させることにより、これらフリップモジュールの作動によってカバー開閉が行われることを特徴とするカバー開閉機構。
【請求項４】携帯用電話機のカバー開閉機構であって、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを電話機本体の収納空間に装着してフリップカバーの嵌合口に前記ヒンジ軸の軸他端部を嵌合させることにより、該フリップモジュールの作動によってカバー開閉が行われるようになっており、さらに、前記嵌合口を形成したフリップカバーのネック部に分解溝が形成されていることを特徴とするカバー開閉機構。
【請求項５】ヒンジハウジングに設けた案内溝へカムヒンジに設けたカムヒンジ突起が係合して前記カムヒンジ摺動する請求項１〜４のいずれか１項に記載のカバー開閉機構。
【請求項６】携帯用電話機のカバー開閉機構であって、圧縮コイルバネで弾性支持されて対向方向に摺動可能に突出するヒンジ軸を備えたフリップモジュールが電話機本体の下端部に設置され、前記ヒンジ軸に取り付けられて通話角度へ回動可能なフリップカバーの少なくとも一方のネックに、通話角度以上に開くときや取り外し時の衝撃を吸収するために拡開機能を遂行する分解溝が形成されていることを特徴とするカバー開閉機構。」
　Ｄ対比・判断
　Ｄ−１特許法第２９条の２第１項違反について
　訂正明細書の請求項１に係る発明（以下「本件第１発明」という）と先願明細書に記載された発明（以下「先願発明」という）とを対比すると、先願発明には、本件第１発明の構成要件である「該フリップモジュールを、支持壁と固定壁により形成された電話機本体の収納空間に、前記ヒンジカバー端面に形成された固定突起が前記固定壁に設けた挿入孔へ挿入されることで前記フリップモジュールが前記収納空間に固定されるようにして装着」する構成を備えておらず、その要件について開示も示唆もしていないので、先願発明に記載された発明と同一とすることはできない。
　訂正明細書の請求項２に係る発明（以下「本件第２発明」という）と先願発明とを対比すると、先願発明には、本件第２発明の構成要件である「その他端部端面に分解凹部を形成してあるヒンジ軸」する構成を備えておらず、その要件について開示も示唆もしていないので、先願発明に記載された発明と同一とすることはできない。
  訂正明細書の請求項３に係る発明（以下「本件第３発明」という）と先願発明とを対比すると、先願発明には、本件第３発明の構成要件である「該フリップモジュールを２つ、フリップカバーの閉角度と開角度を与えるように角度をずらし電話機本体の収納空間に装着」する構成を備えておらず、その要件について開示も示唆もしていないので、先願発明に記載された発明と同一とすることはできない。
　訂正明細書の請求項４に係る発明（以下「本件第４発明」という）と先願発明とを対比すると、先願発明には、本件第４発明の構成要件である「前記嵌合口を形成したフリップカバーのネック部に分解溝が形成」する構成を備えておらず、その要件について開示も示唆もしていないので、先願発明に記載された発明と同一とすることはできない。
　訂正明細書の請求項５に係る発明（以下「本件第５発明」という）は、本件第１乃至第４発明を引用して、更に構成を付加するものであるから、上記本件第１乃至第４発明の理由と同様な理由により、先願発明に記載された発明と同一とすることはできない。
　Ｄ−２特許法第２９条第２項違反について
　本件第１発明と刊行物１に記載された発明（以下「引用発明」という）を対比すると、引用発明には、本件第１発明の構成要件である「該フリップモジュールを、支持壁と固定壁により形成された電話機本体の収納空間に、前記ヒンジカバー端面に形成された固定突起が前記固定壁に設けた挿入孔へ挿入されることで前記フリップモジュールが前記収納空間に固定されるようにして装着」する構成を備えておらず、その要件について開示も示唆もしていない。
　本件第２発明と引用発明とを対比すると、引用発明には、本件第２発明の構成要件である「その他端部端面に分解凹部を形成してあるヒンジ軸」する構成を備えておらず、その要件について開示も示唆もしていない。
  本件第３発明と引用発明とを対比すると、引用発明には、本件第発明の構成要件である「該フリップモジュールを２つ、フリップカバーの閉角度と開角度を与えるように角度をずらし電話機本体の収納空間に装着」する構成を備えておらず、その要件について開示も示唆もしていない。
　本件第４発明と引用発明とを対比すると、引用発明には、本件第４発明の構成要件である「前記嵌合口を形成したフリップカバーのネック部に分解溝が形成」する構成を備えておらず、その要件について開示も示唆もしていない。
　したがって、本件第１乃至第４発明は、刊行物１に記載された発明に基づいて当業者が容易に発明をすることができたものではない。
　よって、本件第１乃至第５発明は、特許出願の際独立して特許を受けることができない発明とすることはできない。
　Ｅむすび
　以上のとおりであるから、上記訂正は、平成１１年改正前の特許法第１２０条の４第２項及び同条第３項において準用する特許法第１２６条第２項から第４項までの規定に適合するので、当該訂正を認める。
３．特許異議申立てについて
　１）本件発明
　前述のように、本件訂正は適法なものであるので、本件第１乃至第５発明は、前記２．３）Ｃにて記載したとおりの発明である。
　２）特許異議申立の概要・判断
　Ａ特許法第２９条第２項違反について
　当審が取消理由通知において示した取消理由及び証拠が同一であるので、上記２．３）Ｄ−２で述べた理由と同一の理由により、申立人の主張する理由及び証拠によっては、本件第１乃至第４発明の特許が、特許法第２９条第２項の規定に違反してされたものとすることはできない。
　Ｂ特許法第２９条第１項第３号違反について
　本件発明の出願の優先日は、１９９５年９月１９日であり、甲第２号証の刊行物は、平成８年（１９９６）１１月２９日に出願公開されたものであるから、甲第２号証に記載された発明は、本件出願前に日本国内又は外国において頒布された刊行物に記載された発明ではない。
　よって、本件第１乃至第５発明の特許は、特許法第２９条第１項第３号の規定に違反してされたものとすることはできない。
４．むすび
　したがって、特許異議申立ての理由及び証拠によっては、本件第１乃至第５発明の特許を取り消すことはできない。
　また、他に本件第１乃至第５発明を取り消すべき理由を発見しない。
　よって、結論のとおり決定する。
【異議決定日】
平成１２年６月６日（２０００．６．６）
【訂正の要旨】
訂正の要旨
訂正事項ａ
　特許請求の範囲の請求項１を
「【請求項１】携帯用電話機のカバー開閉機構であって、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを、支持壁と固定壁により形成された電話機本体の収納空間に、前記ヒンジカバー端面に形成された固定突起が前記固定壁に設けた挿入孔へ挿入されることで前記フリップモジュールが前記収納空間に固定されるようにして装着し、そして、フリップカバーの嵌合口に前記ヒンジ軸の軸他端部を嵌合させることにより、前記フリップモジュールの作動によってカバー開閉が行われることを特徴とするカバー開閉機構。」と訂正する。
　訂正事項ｂ
　特許請求の範囲の請求項２を
「【請求項２】携帯用電話機のカバー開閉機構であって、ヒンジハウジングと、一端に山形突部が形成された軸の他端部が前記ヒンジハウジングから突出するようにして前記ヒンジハウジングに挿入され、その他端部端面に分解凹部を形成してあるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを電話機本体の収納空間に装着してフリップカバーの嵌合口に前記ヒンジ軸の軸他端部を嵌合させることにより、該フリップモジュールの作動によってカバー開閉が行われることを特徴とするカバー開閉機構。」と訂正する。
　訂正事項ｃ
　特許請求の範囲の請求項３を
「【請求項３】携帯用電話機のカバー開閉機構であって、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体によ、り前記カムヒンジを弾性支持するヒンジカバーと、からフリップモジュールを構成し、該フリップモジュールを２つ、フリップカバーの閉角度と開角度を与えるように角度をずらし電話機本体の収納空間に装着してフリップカバーの嵌合口に前記ヒンジ軸の軸他端部を嵌合させることにより、これらフリップモジュールの作動によってカバー開閉が行われることを特徴とするカバー開閉機構。」と訂正する。
　訂正事項ｄ
　特許請求の範囲の請求項４を
「【請求項４】携帯用電話機のカバー開閉機構であって、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを電話機本体の収納空間に装着してフリップカバーの嵌合口に前記ヒンジ軸の軸他端部を嵌合させることにより、該フリップモジュールの作動によってカバー開閉が行われるようになっており、さらに、前記嵌合口を形成したフリップカバーのネック部に分解溝が形成されていることを特徴とするカバー開閉機構。」と訂正する。
　訂正事項ｅ
　特許請求の範囲の請求項５を
「【請求項５】ヒンジハウジングに設けた案内溝ヘカムヒンジに設けたカムヒンジ突起が係合して前記カムヒンジ摺動ずる請求項１〜４のいずれか１項に記載のカバー開閉機構。」と訂正する。
　訂正事項ｆ
　特許請求の範囲の請求項６を
「【請求項６】携帯用電話機のカバー開閉機構であって、圧縮コイルバネで弾性支持されて対向方向に摺動可能に突出するヒンジ軸を備えたフリップモジュールが電話機本体の下端部に設置され、前記ヒンジ軸に取り付けられて通話角度へ回動可能なフリップカバーの少なくとも一方のネックに、通話角度以上に開くときや取り外し時の衝撃を吸収するために拡開機能を遂行する分解溝が形成されていることを特徴とするカバー開閉機構。」と訂正する。
　訂正事項ａは、特許明細書の請求項１の「該フリップモジュールを電話機本体の収納空間に装着して」を「該フリップモジュールを、支持壁と固定壁により形成された電話機本体の収納空間に、前記ヒンジカバー端面に形成された固定突起が前記固定壁に設けた挿入孔へ挿入されることで前記フリップモジュールが前記収納空間に固定されるようにして装着し、そして、」に限定し、「請求項１」とするもの、であり、この訂正事項は特許明細書の請求項３に記載されているので、上記訂正は、特許請求の範囲の減縮に相当する。
　訂正事項ｂは、特許明細書の請求項１の「前記ヒンジハウジングに挿入されるヒンジ軸」を「前記ヒンジハウジングに挿入され、その他端部端面に分解凹部を形成してあるヒンジ軸」に限定して「請求項２」とするものであり、この訂正事項は特許明細書の請求項４に記載されているので、上記訂正は、特許請求の範囲の減縮に相当する。
　訂正事項ｃは、特許明細書の請求項１の「該フリップモジュールを電話機本体の収納空間に装着」を「該フリップモジュールを２つ、フリップカバーの閉角度と開角度を与えるように角度をずらし電話機本体の収納空間に装着」に限定して「請求項３」とするものであり、この訂正事項は特許明細書の請求項５に記載されているので、上記訂正は、特許請求の範囲の減縮に相当する。
　訂正事項ｄは、特許明細書の請求項１の「該フリップモジュールの作動によってカバー開閉が行われること」を「該フリップモジュールの作動によってカバー開閉が行われるようになっており、さらに、前記嵌合口を形成したフリップカバーのネック部に分解溝が形成されていること」に限定して「請求項４」とするものであり、この訂正事項は、特許明細書の請求項６に記載されているので、上記訂正は、特許請求の範囲の減縮に相当する。
　訂正事項ｅは、特許明細書の請求項２の「請求項１記載のカバー開閉機構」を「請求項１〜４のいずれか１項に記載のカバー開閉機構」に訂正するものであり、特許請求の範囲の減縮に相当する。
　訂正事項ｆは、特許明細書の請求項７を請求項６に訂正するもので、請求項数の削減に伴い単に請求項を繰り上げたものであり、実質的な訂正にあたらない。
　上記訂正事項ａ乃至ｆは、新規事項を追加するものでなく、実質上特許請求の範囲を拡張し、又は変更するものでもない。
（５４）【発明の名称】
携帯用電話機のカバー開閉機構
（５７）【特許請求の範囲】
　【請求項１】　携帯用電話機のカバー開閉機構であって、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを
、支持壁と固定壁により形成された
、前記ヒンジカバー端面に形成された固定突起が前記固定壁に設けた挿入孔へ挿入されることで前記フリップモジュールが前記収納空間に固定されるようにして装着し、そして、
前記
　【請求項２】　携帯用電話機のカバー開閉機構であって、ヒンジハウジングと、一端に山形突部が形成された軸の他端部が前記ヒンジハウジングから突出するようにして前記ヒンジハウジングに挿入され
、その他端部端面に分解凹部を形成してある
　【請求項３】　携帯用電話機のカバー開閉機構であって、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを
２つ、フリップカバーの閉角度と開角度を与えるように角度をずらし
これら
　【請求項４】　携帯用電話機のカバー開閉機構であって、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを電話機本体の収納空間に装着してフリップカバーの嵌合口に前記ヒンジ軸の軸他端部を嵌合させることにより、該フリップモジュールの作動によってカバー開閉が行われる
ようになっており、さらに、前記嵌合口を形成したフリップカバーのネック部に分解溝が形成されている
　【請求項５】　ヒンジハウジングに設けた案内溝ヘカムヒンジに設けたカムヒンジ突起が係合して前記カムヒンジが摺動する
請求項１〜４のいずれか１項に
　【請求項６】　携帯用電話機のカバー開閉機構であって、圧縮コイルバネで弾性支持されて対向方向に摺動可能に突出するヒンジ軸を備えたフリップモジュールが電話機本体の下端部に設置され、前記ヒンジ軸に取り付けられて通話角度へ回動可能なフリップカバーの少なくとも一方のネックに、通話角度以上に開くときや取り外し時の衝撃を吸収するために拡開機能を遂行する分解溝が形成されていることを特徴とするカバー開閉機構。
【発明の詳細な説明】
　【０００１】
　【発明の属する技術分野】
　本発明は携帯用電話機に関し、特に、電話機本体に対し開閉可能にヒンジ接続されるカバー（フリップカバー）の開閉機構に関するものである。
　【０００２】
　【従来の技術】
　携帯用電話機は本体にダイアルキーと機能キーが設置されているので、不用意にキーが押されて誤動作するおそれがある。また、携帯用電話機では通話時の送話音損失が大きく送話感度がよくない。これらを解決するために、キー保護用の開閉可能なカバー（フリップカバー）を使用し、そしてこのカバーを利用して送話音の反射板の役割をもたせ、送話品質を高めている。
　【０００３】
　図１〜図３を参照して、従来の携帯用電話機におけるカバー開閉機構を説明する。図１は、カバー開閉機構の分解図である。図２Ａは、電話機本体下端部に設けたカムの斜視図、図２Ｂは、ヒンジピンの斜視図である。そして図３は、カバー開閉機構の作動状態を説明する断面図である。このカバー開閉機構におけるヒンジアセンブリは、携帯用電話機のキーパッドを覆うハウジング状のカバーを電話機本体下端部にヒンジ接続するものである。
　【０００４】
　図１に示すように、フリップカバー１０６と電話機本体１１２をヒンジ接続するヒンジアセンブリは、独立的に作成された２つのヒンジピン１３６，１４８と、これらヒンジピン１３６，１４８の間に取付けられる圧縮コイルバネ１４２とを、フリップカバー１０６の端部に形成した管状ヒンジアーム１２４内に挿入して構成される。本体１１２下端部の両側部には、ヒンジピン１３６，１４８と係合するヒンジピン収納開口１５４が設けられ、ピン状の金属材からなるカム従動部材（ｃａｍ　ｆｏｌｌｏｗｅｒ）１７６が左右対称に固定されている（図２Ａ）。
　【０００５】
　圧縮コイルバネ１４２は、ヒンジピン１３６，１４８の間にあってカム従動部材１７６に対する押接力を加えるように設置され、これによりヒンジピン１３６，１４８がヒンジピン収納開口１５４へ係合し、そのカム表面がカム従動部材１７６と押接するようになっている。図２Ｂに示すように、ヒンジピン１３６，１４８の係合端部には山形部１９８と谷形部１９６のカム表面が湾曲形成され、またヒンジピン１３６，１４８の外周面には長さ方向に凸条１８６，１９２が突出形成されている。管状ヒンジアーム１２４の内周面１３０には、凸条１８６，１９２に相応する凹条１３０ａが形成されており、該凹条１３０ａと凸条１８６，１９２とが係合することで、ヒンジピン１３６，１４８の長さ方向へのスライドが可能であると共に回転が防止される。
　【０００６】
　図３に示す状態に組付けられた開閉機構は、通話のためにフリップカバー１０６へ一定の力を加えることでフリップカバー１０６がヒンジアセンブリにより開・閉位置間で回動する。この回動に際しては、フリップカバー１０６に加えられる開閉力により、カム従動部材１７６と当接するヒンジピン１３６，１４８のカム表面に力が加えられる。また、フリップカバー１０６は、圧縮コイルバネ１４２の押接力を受けるヒンジピン１３６，１４８により、回転モーメントが作用しない場合には開状態又は閉状態に位置する。
　【０００７】
　このような動作はヒンジピン１３６，１４８の係合端部に設けたカム表面の谷形部１９６と山形部１９８がカム従動部材１７６と当接することにより発生する。ヒンジピン１３６，１４８は凸条１８６，１９２と凹条１３０ａとの係合により長さ方向への摺動だけが可能となっているので、圧縮コイルバネ１４０の押接力を受けるヒンジピン１３６，１４８のカム表面とカム従動部材１７６が押接することにより、フリップカバー１０６の開閉位置が維持される。
　【０００８】
　【発明が解決しようとする課題】
　上記従来の技術にあっては、フリップカバーの開閉作動が繰り返されることにより、プラスチック材のヒンジピンと金属材のカム従動部材との当接のためヒンジピンのカム表面が磨耗し、開閉位置での保持力が低下してガタツキが生じるという解決課題がある。また、フリップカバーに無理な力が加えられるとフリップカバーが外れることもあり、このときにはヒンジアーム内に組み入れられたヒンジアセンブリが圧縮コイルバネの作用で飛び出して紛失してしまう可能性がある。更に、フリップカバーが外れるほどの無理な力がフリップカバーに加えらた場合に、カム従動部材を固定した本体端部やヒンジアームが破損してしまうと、本体ハウジング部材やフリップカバー全体を交換しなければならなくなる。或いは、ヒンジアセンブリの作動力が低下してアフターサービスを受ける場合にもその作業性が悪いという課題がある。
　【０００９】
　【課題を解決するための手段】
　このような解決課題に鑑みて本発明では、第一に、電話機本体にヒンジ接続されるカバーのフリップ作動構造をモジュール化して収納空間に装着し、相互に接触をするカム表面を同一材質とすることにより、磨耗を減少させて作動力を高く維持可能なカバー開閉機構を提供する。第二に、独立的に作成されたフリップモジュールを電話機本体の収納空間に装着することにより、カバーが外れるような場合でも構成要素の逸脱を防止したカバー開閉機構を提供する。第三に、カバーネックに分解溝を形成し、ヒンジ軸端面に分解凹部を形成することにより、カバー作動時に誤動作が発生する場合には細いピンなどで容易に分解することが可能で、強制的に力を加えれば着脱が容易なカバー開閉機構を提供する。第四に、カバーネックに分解溝を形成することにより、カバーを開けてから無理な力が加わってカバーが電話機本体から離脱する場合に前記分解溝が拡開機能を遂行してカバーネックや本体の破損を防止するカバーの開閉機構を提供する。第五に、ヒンジ軸とカムヒンジを同一材質として耐久性を増し、製品寿命がより長く高信頼性のカバー開閉機構を提供する。
　【００１０】
　即ち本発明によれば、携帯用電話機のカバー開閉機構として、ヒンジハウジングと、一端に山形突部が形成された軸の他端部が前記ヒンジハウジングから突出するようにして前記ヒンジハウジングに挿入されるヒンジ軸と、前記山形突部とかみ合う谷形部及び山形部をもち前記ヒンジハウジングに挿入されるカムヒンジと、前記ヒンジハウジングに係止し、前記カムヒンジとの間に設けた弾性体により前記カムヒンジを弾性支持するヒンジカバーと、からフリップモジュールを構成し、該フリップモジュールを電話機本体の収納空間に装着してフリップカバーの嵌合口に前記ヒンジ軸の軸他端部を嵌合させることにより、該フリップモジュールの作動によってカバー開閉が行われることを特徴とするカバー開閉機構を提供する。この場合、ヒンジハウジングに設けた案内溝ヘカムヒンジに設けたカムヒンジ突起が係合して前記カムヒンジが摺動する構成としておくとよい。また、支持壁と固定壁により電話機本体の収納空間を形成し、ヒンジカバー端面に固定突起を形成して前記固定壁に設けた挿入孔へ挿入することにより、フリップモジュールが前記収納空間へ固定されるようにしておくとよい。更に、ヒンジ軸の他端部端面に分解凹部を形成し、また嵌合口を形成したフリップカバーのネック部分に分解溝を形成しておくと、分解のときに楽であり、ネック部の破損をも防止できる。
　【００１１】
　また、本発明にれば、携帯用電話機のカバー開閉機構として、圧縮コイルバネで弾性支持されて対向方向に摺動可能に突出するヒンジ軸を備えたフリップモジュールが電話機本体の下端部に設置され、前記ヒンジ軸に取り付けられて通話角度へ回動可能なフリップカバーの少なくとも一方のネックに、通話角度以上に開くときや取り外し時の衝撃を吸収するために拡開機能を遂行する分解溝が形成されていることを特徴とするカバー開閉機構が提供される。
　【００１２】
　【発明の実施の形態】
　以下、本発明の実施形態につき添付図面を参照して詳細に説明する。
　【００１３】
　図４〜図９を参照してフリップモジュールの構成及び装着過程を説明する。
　【００１４】
　電話機本体（本体ハウジング）８０の収納空間に装着される本発明のカバー開閉機構をなすフリップモジュールＭ１，Ｍ２は、ヒンジハウジング３０と、軸４１の一端に山形突部４２をもち、ヒンジハウジング３０内に挿入されるヒンジ軸４０と、谷形部５１ａ及び山形部５１ｂが端部に形成されて前記山形突部４２と当接するカムヒンジ５０と、係止突起７２によりヒンジハウジング３０に係止するヒンジカバー７０と、カムヒンジ５０とヒンジカバー７０との間に設置される圧縮コイルバネ６０と、から構成される。
　【００１５】
　ヒンジハウジング３０は、一方の側部を半円形の曲面とし且つ他方の側部を平坦面としてあり、コスト面から左右共通部品とすると共に、組立の容易性を考慮して左右異なる組み付け状態となるようにしている。ヒンジハウジング３０の平坦面には案内溝３１が長さ方向に形成され、その両側面部に係止溝３３が形成され、そして一端面にヒンジ孔３２が形成される。
　【００１６】
　ヒンジハウジング３０に挿入されるヒンジ軸４０は、軸４１の一端に山形突部４２をもつ。この軸４１の他端部４４には、切欠平面４３を２つ平行に形成してある。ヒンジ軸４０の切欠平面４３の形成方向と山形突部４２の形成方向は、通話角度を考慮して設定する。また、他端部４４の端面には分解凹部を中心に形成し、フリップモジュール分解時に細いピンを容易に固定可能にしてある。更に、切欠平面４３の長さ方向の長さは、ヒンジ軸４０の他端部４４がフリップカバー９０の嵌合口９２に挿入されたときの嵌合量を考慮することにより決定される。即ち、ヒンジ軸４０の他端部４４がフリップカバー９０の嵌合口９２にかかる嵌合量を１〜２．５ｍｍとすると、本体８０にフリップカバー９０を組立てたときに容易には外れず且つ強制的に外すときにフリップカバー９０のネックに亀裂が発生しない点を考慮する。
　【００１７】
　カムヒンジ５０は、山形突部４２とかみ合ってスライド接触が可能なように谷形部５１ａ及び山形部５１ｂを端部にもつ。また、ヒンジハウジング３０の案内溝３１に案内されて回転を防止し、該案内溝３１に沿ってカムヒンジ５０が摺動できるようにカムヒンジ突起５２が突設されており、ヒンジカバー７０側端面にはバネ固定突起５３が形成される。
　【００１８】
　ヒンジカバー７０は、ヒンジハウジング３０の係止溝３３に係止する係止突起７２を２つ備えており、また、ヒンジハウジング３０の案内溝３１に挿入されるヒンジカバー突起７１が突設されている。更に、ヒンジハウジング３０から露出する側の端面に、本体８０の収納空間に確実に装着可能なように固定突起７３が形成される。そして、このヒンジカバー７０とカムヒンジ５０との間に圧縮コイルバネ６０が設置され、ヒンジハウジング３０に組み付けたときにカムヒンジ５０に対し押接力が加えられる。
　【００１９】
　図７、図８Ａ、図８Ｂに示すように、本体８０には、フリップモジュールＭ１，Ｍ２を確実に固定するために、左右の支持壁８２と、この支持壁８２と直角にした固定壁８３とが形成され、固定壁８３に、ヒンジカバー７０の固定突起７３を挿入する挿入孔８１ｂをそれぞれ形成してある。また、図９Ａ及び図９Ｂに示すように、フリップカバー９０を本体８０に組付けるために、ヒンジ軸４０の他端部４４を嵌合させる嵌合口９２をフリップカバーのネック９３に形成する。
　【００２０】
　図５及び図６を参照してフリップモジュールＭ１，Ｍ２の組立過程を説明する。
　【００２１】
　ヒンジハウジング３０のヒンジ孔３２にまずヒンジ軸４０の軸４１を挿通させ、そして、谷形部５１ａとヒンジ軸４０の山形突部４２とを合わせるようにしてカムヒンジ５０をヒンジハウジング３０内に挿入すると、ヒンジ軸４０がヒンジハウジング３０に組み付けられる。次いで圧縮コイルバネ６０をバネ固定突起５３に固定した後、ヒンジカバー７０の突起（図示せず）に圧縮コイルバネ６０の他端を固定し、ヒンジカバー７０の係止突起７２をヒンジハウジング３０の係止溝３３へ係止させると、フリップモジュールＭ１，Ｍ２の組立が完了する。
　【００２２】
　このようにして組立てられたフリップモジュールＭ１，Ｍ２は、まず、フリップモジュールＭ１，Ｍ２を斜めにして固定突起７３を固定壁８３の挿入孔８１ｂに挿入し、そして、フリップモジュールＭ１，Ｍ２から突出している軸４１を内側へ押し込みながらフリップモジュールＭ１，Ｍ２を収納空間へ収め、挿入孔８１ａへ軸４１を挿入することにより、本体８０に装着される。このとき、組み付けた一方のフリップモジュールＭ１は案内溝３１が上に向くように装着し、他方のフリップモジュールＭ２は、フリップカバー９０の開閉角度のために案内溝３１が横を向くように装着する。
　【００２３】
　各フリップモジュールＭ１，Ｍ２を角度をずらして収納空間に装着する理由は、カムヒンジ５０は圧縮コイルバネ６０により弾性支持されて長さ方向にスライド可能になっているので、ヒンジ軸４０の回転つまりフリップカバー９０の回動時に山形部５１ｂの位相に従ってスライドすることにより発生する復元力でカバーを回動させるモーメントを提供するためである。従って、フリップカバー９０の開閉時に開角度（１３５°程度）及び閉角度（０°）を維持するように両フリップモジュールＭ１，Ｍ２を組み付ける。
　【００２４】
　このカバー開閉機構の分解過程を説明すれば、次の通りである。
　【００２５】
　分解過程を説明する前に、まず、分解のためのフリップカバー９０の構成について説明する。本体８０に取り付けられたフリップカバー９０が開いた状態で無理な力が加わって外れる場合や強制的に外すような場合に、フリップカバー９０のネック９３の亀裂発生を防止するためにフリップカバーのネック９３に分解溝９１を形成してある。この分解溝９１を形成することで、フリップカバー９０を本体８０から分離する際に、分解溝９１に細いピンを挿入する方法と、フリップカバー９０へ強制的に一定角度以上の力を加えて分離する方法が可能である。
　【００２６】
　前者の方法では、細いピンを分解溝９１から挿入してヒンジ軸４０の他端部４４を内側へ押し込み、フリップカバー９０の嵌合口９２から他端部４４を抜き出すことにより、フリップカバー９０を本体８０から分離することができる。後者の方法では、分解溝９１はプラスチック特有の柔軟性を適用したもので、通話中などに強制的な力が加えられても衝撃を吸収する機能を遂行する。即ち、強制的にフリップカバー９０に通話角度以上の力が加わるとフリップカバー９０のネック９３は広がることが可能で、継続して力が加わると、フリップカバー９０は本体８０から離脱する。つまり、嵌合口９２に挿入されたヒンジ軸４０の他端部４４が抜け出る。
　【００２７】
　フリップカバー９０を取り外した後には、ヒンジ軸４０の端面に形成した分解凹部４５に細いピンを嵌めて内側へ押し込むようにすると、ヒンジ軸４０は圧縮コイルバネ６０により弾性支持されているので引っ込む。次いでヒンジ軸４０を持ち上げるように力をかけると挿入孔８１ａから外れ、そしてこれに続いて固定突起７３が固定壁８３の挿入孔８１ｂから抜け出し、フリップモジュールＭ１，Ｍ２は本体８０の収納空間から離脱する。
　【００２８】
　本体８０から取り出したフリップモジュールＭ１，Ｍ２を分解するためには、ヒンジハウジング３０の係止溝３３に係止したヒンジカバー７０の係止突起７２を内側に押すことで、圧縮コイルバネ６０の作用により簡単に分解することができる。
　【００２９】
　次に、フリップカバー９０の作動について説明する。
　【００３０】
　通話のためにフリップカバー９０を開ける場合、ヒンジ軸４０の山形突部４２と当接している谷形部５１ａの傾斜面に沿ってカムヒンジ５０はスライド後退し、山形部５１ｂの頂上に至った後には更に他側の傾斜面に沿ってステイド前進する。そして、圧縮コイルバネ６０による押接力で山形突部４２と谷形部５１ａとがかみ合う位置になると、フリップカバー９０の回動が止まり通話角度（１３５°程度）が保持される。
　【００３１】
　フリップカバー９０を閉じる場合、ヒンジ車由４０の山形突部４２と当接している谷形部５１ａの傾斜面に沿ってカムヒンジ５０はスライド後退し、山形部５１ｂの頂上に至った後には更に他側の傾斜面に沿ってステイド前進する。このとき、フリップモジュールＭ１，Ｍ２の圧縮コイルバネ６０による押接力でフリップカバー９０には閉方向の力が継続して作用することになる。
　【００３２】
　フリップモジュールＭ１，Ｍ２のヒンジハウジング３０には案内溝３１が形成され、これにカムヒンジ５０のカムヒンジ突起５２が案内されるので、カムヒンジ５０はカバーの回動時に長さ方向へ摺動するのみである。
　【００３３】
　以上の実施形態の他にも本発明の範囲内で多様な変形が可能であることは勿論である。
　【００３４】
　【発明の効果】
　本発明によるカバー開閉機構は、独立的に組立てられたフリップモジュールを本体ハウジングの収納空間に装着するようにしたので、組立・分解が非常に容易になり、しかも部品紛失の可能性が格段に少ない。また、フリップカバーなど部品の損壊が発生し難く、フリップの構成要素を同一材質として耐摩耗性を向上させると共に作動性も向上させられるので、高信頼性を確保することができる。
【図面の簡単な説明】
　【図１】
　従来のカバー開閉機構を示す分解斜視図。
　【図２】
　分図Ａは、図１の電話機本体下端部の従動カム部材を示す要部拡大斜視図、分図Ｂは、図１のヒンジピンを示す斜視図。
　【図３】
　図１のカバー開閉機構を組み立てた状態での要部断面図。
　【図４】
　本発明によるカバー開閉機構を備えた電話機本体とフリップカバーの組立状態を示す要部斜視図。
　【図５】
　本発明によるカバー開閉機構のフリップモジュールの分解斜視図。
　【図６】
　本発明によるカバー開閉機構のフリップモジュールの断面図。
　【図７】
　フリップモジュールを電話機本体の収納空間へ装着するときの組立図。
　【図８】
　分図Ａは、フリップモジュールを電話機本体へ装着した状態の平面図、分図Ｂは、フリップモジュールを電話機本体へ装着した状態の断面図。
　【図９】
　分図Ａは、フリップモジュールを電話機本体に装着した状態の表側からみた側面図、分図Ｂは、矢示Ａ方向からみたネック端面図を含むフリップカバーの側面図。
　【符号の説明】
Ｍ１，Ｍ２　フリップモジュール
３０　ヒンジハウジング
３１　案内溝
３２　ヒンジ孔
３３　係止溝
４０　ヒンジ軸
４１　軸
４２　山形突部
４３　切欠平面
４４　他端部
４５　分解凹部
５０　カムヒンジ
５１ａ　谷形部
５１ｂ　山形部
５２　カムヒンジ突起
５３　バネ固定突起
６０　圧縮コイルバネ（弾性体）
７０　ヒンジカバー
７１　ヒンジカバー突起
７２　係止突起
７３　固定突起
８０　電話機本体（本体ハウジング）
９０　フリップカバー（ボタンカバー）
９１　分解溝